(57)【要約】【課題】主に、インストルメントパネルをほぼ完全に電磁波遮蔽し得るようにする。【解決手段】空気吹出用開口部２７が設けられたインストルメントパネル２２と、インストルメントパネル２２の内部に、空気吹出用開口部２７へ向けて設置された空気ノズル２８とを有するインストルメントパネル部構造であって、インストルメントパネル２２の内面側のほぼ全面に、空気吹出用開口部２７と対応する穴部５０を有する電磁波遮蔽材５１を貼着すると共に、空気吹出用開口部２７へ向けられた空気ノズル２８の吹出口部に、空気が通過可能で且つ電磁波遮蔽可能な、空気通過型電磁波遮蔽材５２を取付けるようにしている。【選択図】図１
2009274691.tif 000002
【特許請求の範囲】
【請求項１】
空気吹出用開口部が設けられたインストルメントパネルと、該インストルメントパネルの内部に、前記空気吹出用開口部へ向けて設置された空気ノズルとを有するインストルメントパネル部構造において、
インストルメントパネルの内面側に、電磁波遮蔽材を配設すると共に、
前記空気吹出用開口部へ向けられた前記空気ノズルの吹出口部に、空気が通過可能で且つ電磁波遮蔽可能な、空気通過型電磁波遮蔽材を取付けたことを特徴とするインストルメントパネル部構造。
【発明の詳細な説明】
【技術分野】
【０００１】
この発明は、インストルメントパネル部構造に関するものである。
【背景技術】
【０００２】
図３に示すように、自動車などの車両には、車室の前部にフロントウインドウガラス１が設けられている。このフロントウインドウガラス１の下方には、樹脂製のインストルメントパネル２が設けられている。
【０００３】
このインストルメントパネル２の内部には、ほぼ車幅方向へ延びて左右の車体パネル間を連結する金属製の車体強度部材３が設けられている。また、車体強度部材３の外側には、車体強度部材３にほぼ沿って、メインハーネスなどと呼ばれる電線集合体４が配索されている。
【０００４】
また、インストルメントパネル２の内部には、上記の他に図示しない空調ユニットが設置されている。そして、この空調ユニットからの空調用の空気が、インストルメントパネル２の各部から吹出し得るように構成されている。
【０００５】
そのために、インストルメントパネル２には、各部に空気吹出用開口部７が設けられている。また、インストルメントパネル２の内部には、空調ユニットに接続された空気ダクトや空気ノズル８が適宜配設されると共に、この空気ノズル８が、上記した空気吹出用開口部７へ向くように設置されている。
【０００６】
例えば、図３の場合、インストルメントパネル２の前縁部に、空気吹出用開口部７として、フロントデフロスタ用開口部１１が形成されている。このフロントデフロスタ用開口部１１には、フロントデフロスタ用グリル部材１２が取付けられている。そして、フロントデフロスタ用グリル部材１２の下部には、空気ノズル８として、フロントデフロスタ用空気ノズル１３が設置されている。そして、上記したフロントデフロスタ用グリル部材１２に対し、フロントデフロスタ用空気ノズル１３が、接続部１４を介して接続されている。なお、上記したフロントデフロスタ用グリル部材１２は、物落防止用桟部が設けられた枠状部材などとされている。
【０００７】
このような、構成において、フロントウインドウガラス１の内面側に対して、ＦＭ波受信用などのアンテナ１７を取付けることなどが行われている（例えば、特許文献１参照）。
【０００８】
このようなアンテナ１７は、例えば、プリントアンテナ１８などとされて、図４に示すように、フロントウインドウガラス１のほぼ半面に亘って正面視ほぼコ字状などに貼付けられるようになっている。
【特許文献１】特開２００２−１３５０２４
【発明の開示】
【発明が解決しようとする課題】
【０００９】
しかしながら、上記インストルメントパネル部構造では、インストルメントパネル２の内部に配索されたメインハーネスなどと呼ばれる電線集合体４から出る電磁波１９を、フロントウインドウガラス１の内面に貼付けたアンテナ１７が受信することにより、ラジオ音声に雑音が入るなどの問題があった。
【００１０】
また、上記したフロントデフロスタ用グリル部材１２には、枠状部材に物落防止用桟部を設けた構造によって、デザイン自由度が制限されるなどの問題があった。更に、物落防止用桟部によって、風切音などの吹出音が発生するなどの問題があった。
【００１１】
なお、上記した以外にも、本発明に至る過程で新たな問題やその他の問題などが発生することも考えられるが、そのようなものについては、本発明の実施例の中で説明することによって、この欄での記載に代えることができるものとする。但し、必要な場合には、この欄に流用することができる。
【課題を解決するための手段】
【００１２】
上記課題を解決するために、請求項１に記載された発明は、空気吹出用開口部が設けられたインストルメントパネルと、該インストルメントパネルの内部に、前記空気吹出用開口部へ向けて設置された空気ノズルとを有するインストルメントパネル部構造において、インストルメントパネルの内面側に、電磁波遮蔽材を配設すると共に、前記空気吹出用開口部へ向けられた前記空気ノズルの吹出口部に、空気が通過可能で且つ電磁波遮蔽可能な、空気通過型電磁波遮蔽材を取付けたことを特徴としている。
【００１３】
なお、上記は、それぞれ、所要の作用効果を発揮するための必要最小限の構成であり、上記構成の詳細や、上記されていない構成については、それぞれ自由度を有しているのは勿論である。そして、上記構成の記載から読取ることが可能な事項については、特に具体的に記載されていない場合であっても、その範囲内に含まれるのは勿論である。また、上記以外の構成を追加した場合には、追加した構成による作用効果が加わることになるのは勿論である。
【発明の効果】
【００１４】
請求項１の発明によれば、上記構成により、以下のような作用効果を得ることができる。即ち、インストルメントパネルの内面側のほぼ全面に貼着した電磁波遮蔽材により、空気吹出用開口部と対応する穴部以外の部分に対する電磁波遮蔽を行うことができる。また、空気吹出用開口部へ向けられた空気ノズルの吹出口部に取付けた空気通過型電磁波遮蔽材により、空気吹出用開口部の部分に対する電磁波遮蔽を行うことができる。これらを合わせることにより、インストルメントパネルの全面に対して漏れなく電磁波遮蔽を施すことができる。以て、インストルメントパネルの内部（に配索されたメインハーネスなどと呼ばれる電線集合体）から出る電磁波を、（フロントウインドウガラスの内部に貼付けた）アンテナなどが受信することによる、ラジオ音声の雑音などをほぼ完全に防止することができる。また、空気通過型電磁波遮蔽材は、空気が通過可能なので、空気吹出用開口部からの空気の吹出しを妨げることがない。更に、空気通過型電磁波遮蔽材によって、空気吹出用開口部に対する物落ちを防止することができるので、空気吹出用開口部に、物落防止用桟部や物落防止用桟部を有するフロントデフロスタ用グリル部材などを設ける構造上の必要性がなくなり、空気吹出用開口部周辺やフロントデフロスタ用グリル部材のデザイン自由度を向上することができると共に、物落防止用桟部による風切音などの吹出音を防止、低減することができる。
【発明を実施するための最良の形態】
【００１５】
本発明は、主に、インストルメントパネルをほぼ完全に電磁波遮蔽し得るようにすることを目的としている。
【００１６】
以下、本発明を具体化した実施例について、図示例と共に説明する。
【００１７】
なお、以下の実施例は、上記した背景技術や発明が解決しようとする課題などと密接な関係があるので、必要が生じた場合には、互いに、記載を流用したり、必要な修正を伴って流用したりすることができるものとする。
【実施例】
【００１８】
図１、図２は、この発明の実施例を示すものである。
【００１９】
＜構成＞まず、構成について説明する。
【００２０】
主に、図１に示すように、自動車などの車両には、車室の前部にフロントウインドウガラス２１が設けられている。このフロントウインドウガラス２１の下方には、樹脂製のインストルメントパネル２２が設けられている。
【００２１】
このインストルメントパネル２２の内部には、ほぼ車幅方向へ延びて左右の車体パネル間を連結する金属製の車体強度部材２３が設けられている。また、車体強度部材２３の外側には、車体強度部材２３にほぼ沿って、メインハーネスなどと呼ばれる電線集合体２４が配索されている。
【００２２】
また、インストルメントパネル２２の内部には、上記の他に図示しない空調ユニットが設置されている。そして、この空調ユニットからの空調用の空気が、インストルメントパネル２２の各部から吹出し得るように構成されている。
【００２３】
そのために、インストルメントパネル２２には、各部に空気吹出用開口部２７が設けられている。また、インストルメントパネル２２の内部には、空調ユニットに接続された空気ダクトや空気ノズル２８が適宜配設されると共に、この空気ノズル２８が、上記した空気吹出用開口部２７へ向くように設置されている。
【００２４】
例えば、この場合には、インストルメントパネル２２の前縁部に、空気吹出用開口部２７として、フロントデフロスタ用開口部３１が形成されている。このフロントデフロスタ用開口部３１には、フロントデフロスタ用グリル部材３２が取付けられている。そして、フロントデフロスタ用グリル部材３２の下部には、空気ノズル２８として、フロントデフロスタ用空気ノズル３３が設置されている。そして、上記したフロントデフロスタ用グリル部材３２に対し、フロントデフロスタ用空気ノズル３３が、接続部３４を介して接続されている。なお、上記したフロントデフロスタ用グリル部材３２は、図２に示すように、物落防止用桟部３６が設けられた枠状部材などとされている。
【００２５】
このような、構成において、フロントウインドウガラス２１の内面側に対して、ＦＭ波受信用などのアンテナ３７を取付ける。
【００２６】
このようなアンテナ３７は、例えば、プリントアンテナ３８などとされて、フロントウインドウガラス２１のほぼ半面に亘って正面視ほぼコ字状などに貼付けられる（図４参照）。
【００２７】
なお、以上の構成は、上記した従来例のものとほぼ同様である。
【００２８】
上記をより詳細に説明すると、インストルメントパネル２２は、この場合、芯材と表皮材と発泡層とを有する三層構造のものとされている。但し、インストルメントパネル２２は、これに限るものではない。
【００２９】
フロントデフロスタ用開口部３１は、フロントウインドウガラス２１の前縁部にほぼ沿ってほぼ車幅方向に細長く延設形成されている。フロントデフロスタ用開口部３１は、運転席側と助手席側とに分けて２箇所設けられている。
【００３０】
フロントデフロスタ用グリル部材３２は、樹脂製部品として構成されており、図１に示すように、ほぼフロントデフロスタ用開口部３１の内部に配設されてほぼ空気吹出方向へ延びる枠筒状部４１と、この枠筒状部４１の（上）縁部に設けられて表面意匠を構成するフランジ部４２とを一体に備えている。ここで、枠筒状部４１は、空気吹出用開口部２７の大きさよりも小さ目に作成されており、フランジ部４２は、枠筒状部４１と空気吹出用開口部２７との間の隙間を埋め得るような形状および大きさを有している。枠筒状部４１の空気吹出方向は、垂直上方に対して若干後方へ向けられている。これに伴い、枠筒状部４１も後方へ向くような形状を有している。フランジ部４２は、インストルメントパネル２２の表面とほぼ面一状態に連なるか、或いは、インストルメントパネル２２の表面よりも若干低くなるように構成されている。物落防止用桟部３６は、枠筒状部４１の内の表面寄りの部分に、車幅方向に所要の間隔を有して複数設けられている。物落防止用桟部３６は、ほぼ車両前後方向へ延びると共に、枠筒状部４１に一体に形成されている。
【００３１】
また、フロントデフロスタ用グリル部材３２と、フロントデフロスタ用空気ノズル３３との接続部３４は、例えば、フロントデフロスタ用空気ノズル３３の吹出口部（の（上）縁部）に設けられたフランジ部４５と、このフランジ部４５上面に沿って環状に取付けられたシール部４６とを備えている。そして、この環状のシール部４６の内側にフロントデフロスタ用グリル部材３２の（枠筒状部４１の）下端部を挿入することによって、フロントデフロスタ用グリル部材３２と、フロントデフロスタ用空気ノズル３３との接続が行われるように構成されている。
【００３２】
そして、以上のような基本構成に対し、この実施例のものでは、以下のような構成を備えている。
【００３３】
（１）インストルメントパネル２２の内面側のほぼ全面に、空気吹出用開口部２７と対応する切り欠きや穴部５０を有する電磁波遮蔽材５１を貼着等により配設する。そして、空気吹出用開口部２７へ向けられた空気ノズル２８の吹出口部に、空気が通過可能で且つ電磁波遮蔽可能な、空気通過型電磁波遮蔽材５２を取付ける。
【００３４】
ここで、電磁波遮蔽材５１には、例えば、アルミシートなどのシート状金属材を用いるようにする。そして、この電磁波遮蔽材５１を、金属製の車体強度部材２３に対し、アース線５３を介して電気的に接続する（アースする）。なお、アース線５３は、インストルメントパネル２２内部の設置物を避けつつ、経路がより短かくなるように配索させるようにする。
【００３５】
（２）空気通過型電磁波遮蔽材５２には、例えば、金属メッシュ材などを用いるようにする。この空気通過型電磁波遮蔽材５２は、空気吹出用開口部２７よりも一回り大きいものとして、電磁波遮蔽材５１と上下方向に重複させるようにするのが好ましい。そして、この空気通過型電磁波遮蔽材５２は、例えば、フロントデフロスタ用空気ノズル３３の吹出口部（の（上）縁部）に設けられたフランジ部４５と、シール部４６との間に設置させるようにする。
【００３６】
（３）そして、この空気通過型電磁波遮蔽材５２を、アース用金具５４を介して、電磁波遮蔽材５１に電気的に接続する（アースする）。アース用金具５４の接続位置は、電磁波遮蔽材５１と空気通過型電磁波遮蔽材５２とがより近接している部分などとするのが好ましい。
【００３７】
なお、図１中、符号５６は、電線集合体２４から出る電磁波である。
【００３８】
＜作用＞次に、この実施例の作用について説明する。
【００３９】
（１）空気吹出用開口部２７が設けられたインストルメントパネル２２と、インストルメントパネル２２の内部に、空気吹出用開口部２７へ向けて設置された空気ノズル２８とを有するインストルメントパネル部構造において、インストルメントパネル２２の内面側のほぼ全面に、空気吹出用開口部２７と対応する切り欠きや穴部５０を有する電磁波遮蔽材５１を貼着等により配設すると共に、空気吹出用開口部２７へ向けられた空気ノズル２８の吹出口部に、空気が通過可能で且つ電磁波遮蔽可能な、空気通過型電磁波遮蔽材５２を取付けたことにより、以下のような作用効果を得ることができる。
【００４０】
即ち、インストルメントパネル２２の内面側のほぼ全面に貼着した電磁波遮蔽材５１により、空気吹出用開口部２７と対応する穴部５０以外の部分に対する電磁波遮蔽を行うことができる。また、空気吹出用開口部２７へ向けられた空気ノズル２８の吹出口部に取付けた空気通過型電磁波遮蔽材５２により、空気吹出用開口部２７の部分に対する電磁波遮蔽を行うことができる。これらを合わせることにより、インストルメントパネル２２の全面に対して漏れなく電磁波遮蔽を施すことができる。以て、インストルメントパネル２２の内部（に配索されたメインハーネスなどと呼ばれる電線集合体２４）から出る電磁波５６を、（フロントウインドウガラス２１の内面に貼付けた）アンテナ３７が受信することによる、ラジオ音声の雑音などをほぼ完全に防止することができる。
【００４１】
また、空気通過型電磁波遮蔽材５２は、空気が通過可能なので、空気吹出用開口部２７からの空気の吹出しを妨げることがない。
【００４２】
更に、空気通過型電磁波遮蔽材５２によって、空気吹出用開口部２７に対する物落ちを防止することができるので、空気吹出用開口部２７に、物落防止用桟部３６や物落防止用桟部３６を有するフロントデフロスタ用グリル部材３２などを設ける構造上の必要性がなくなり、空気吹出用開口部２７周辺やフロントデフロスタ用グリル部材３２のデザイン自由度を向上することができると共に、物落防止用桟部３６による風切音などの吹出音を防止、低減することができる。よって、図２のフロントデフロスタ用グリル部材３２についても、標準的な構成以外の構成とすることも可能となる。
【００４３】
（２）空気通過型電磁波遮蔽材５２に、金属メッシュ材などを用いることにより、簡単且つ安価な構成で、効果的に上記を実現することができる。また、空気通過型電磁波遮蔽材５２を、空気吹出用開口部２７よりも一回り大きいものとして、電磁波遮蔽材５１と上下方向に重複させるようにすることにより、電磁波が漏れる箇所を低減して、電磁波遮蔽効果を高めることができる。この空気通過型電磁波遮蔽材５２を、フロントデフロスタ用空気ノズル３３の吹出口部（の（上）縁部）に設けられたフランジ部４５と、シール部４６との間に設置することにより、設計変更などを伴わずに、また、既存の構成物の邪魔にならずに、空気通過型電磁波遮蔽材５２を取付けることができる。
【００４４】
（３）そして、この空気通過型電磁波遮蔽材５２を、アース用金具５４を介して、電磁波遮蔽材５１に電気的に接続する（アースする）ことにより、電磁波遮蔽材５１と空気通過型電磁波遮蔽材５２とを一体の電磁波遮蔽手段として使用することが可能となる。アース用金具５４の接続位置を、電磁波遮蔽材５１と空気通過型電磁波遮蔽材５２とが近接している部分とすることにより、アース用金具５４の設置を容易化することができる。
【００４５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【図面の簡単な説明】
【００４６】
【図１】本発明の実施例にかかるインストルメントパネル部構造の側方断面図である。
【図２】図１の前縁部周辺の斜視図である。
【図３】従来例にかかるインストルメントパネル部構造の側方断面図である。
【図４】図３のフロントウインドウガラスを斜め上方から見たアンテナの取付状況説明図である。
【符号の説明】
【００４７】
２２  インストルメントパネル
２７  空気吹出用開口部
２８  空気ノズル
５０  穴部
５１  電磁波遮蔽材
５２  空気通過型電磁波遮蔽材
【図１】
2009274691.tif 000003
【図２】
2009274691.tif 000004
【図３】
2009274691.tif 000005
【図４】
2009274691.tif 000006